(57)【要約】      （修正有）【課題】和風装束にも洋風装束にもマッチする（適合する）一面が畳表を使用する敷物で、他面が絵柄模様等が施された面を有する、リバーシブル納棺用敷物を提供する。【解決手段】上端部材７ａ及び下端部材７ｂの中心材の表側に上端部材及び下端部材を連結接合する両端に畳縁が縫合されたい草畳表面２と、上端部材及び下端部材の各中心材の裏側に接合され、上端部材及び下端部材の各中心材の端部をい草畳表面近傍まで覆われ、洋風装束に適合する図柄模様が描かれた裏面材面部４ａとを有し、上端部材及び下端部材が表側のい草畳表面の中央で表側に二つ折りされる。【選択図】図１
0003229322.tif 000002
【実用新案登録請求の範囲】
【請求項１】
上端部材及び下端部材の中心材の表側に上端部材及び下端部材を連結接合する両端に畳縁が縫合されたい草畳表面と、
上端部材及び下端部材の各中心材の裏側に接合され、洋風装束に適合する図柄模様が描かれた裏面材と、を有し、
上端部材及び下端部材が表側のい草畳表面の中央で表側に二つ折りされることを特徴とするリバーシブル納棺用敷物。
【請求項２】
洋風装束に適合する図柄模様は、納棺される男性遺体がタキシードやモーニング等の洋風装束の場合には、宇宙図柄（模様）が、納棺される女性遺体がワンピース等の洋風装束の場合には、バラやサクラの花柄図柄（模様）であることを特徴とする請求項１に記載のリバーシブル納棺用敷物。
【請求項３】
畳縁が白地の綾に雲形や菊花などの紋を黒く織り出した織物からなる高麗縁又は紙材にこれらの紋をプリントしたものであることを特徴とする請求項１に記載のリバーシブル納棺用敷物。
【請求項４】
い草畳表面又は裏面材が、上端部材及び下端部材の各中心材の端部を覆うように延設されたことを特徴とする請求項１に記載のリバーシブル納棺用敷物。
【請求項５】
い草畳表面又は畳縁、裏面材の図柄模様が、紙又は布、ポリエステル材にプリントしたものであることを特徴とする請求項１に記載のリバーシブル納棺用敷物。
【考案の詳細な説明】
【技術分野】
【０００１】
本考案は、納棺用敷物について、和風、洋風いずれの様式にも対応できるリバーシブル納棺用敷物に関する。
【背景技術】
【０００２】
棺に遺体を収容する場合には、棺に直接遺体を安置するのではなく、一定の装束を着せ、棺の底板の上に所定に敷物を敷いて収容することが行われる。
この種の敷物については、本願出願人は、既に、実開平７−１５０２９号を提案している。実開平７−１５０２９号後方に開示は、考案名称「納棺用敷物」に係り、「納棺された遺体から滲出する水分（悪液）、生花、ドライアイスなどの納棺用具から滲出する水分（悪液）を吸収し、該水分が床の畳、床板などを汚染することを防止する有益な納棺用敷物の提供、遺体、棺、納棺用具などと共に完全燃焼する燃えやすい納棺用敷物の提供」を目的として(同公報明細書段落番号)０００５参照）、「易燃性かつ吸湿性の芯材の少なくとも遺体安置部位側表面を易燃性で吸湿性の包被部材で包被した敷物体で構成」すること等によって(同公報実用新案登録請求の範囲請求項１の記載等参照）、「遺体から滲出する水分（悪液）、納棺用品から滲出する水分（悪液）が敷物体に吸収され、棺から床へ滲出しない。水分（悪液）で畳、床板などが汚染されることを防止できると共に、床の汚染防止のために防水シートを敷くという手間を省ける。」等々の効果を奏するものである(同公報明細書段落番号００３５〜００４０参照）。
【０００３】
図７は、実開平７−１５０２９号公報に図１として示される開示考案に係る敷物の一部切欠斜視図であり、図７において、符号Ａは、敷物体、１０１は、芯材、１０２は、包被部材、１０３は、遺体安置部、１０５は、対向配置部、１０６は、縁布、１０７は、布帛、１０８は、当接紙、１０９は、紙製接着テープである（なお、符号は、先行技術であることを明らかにするために、本願出願人において、３桁に変更して説明した。）。
【０００４】
本願出願人は、この種の納棺敷物について、敷物の表面(すなわち、遺体側）を畳表を使用して従来からの白装束にマッチする敷物を提案してきたが、近年、葬儀様式の変化に伴い、これまでの和風の白の死装束ばかりでなく、洋風の、例えば、男性遺体については、モーニング装束や女性遺体については、ワンピース装束など、日常の生活様式をそのまま取り入れた納棺が行われるようになった。
このような男性遺体については、モーニング装束や女性遺体については、ワンピース装束などの納棺の変化に対応するために、これらの洋風装束にマッチする棺用敷物が求められることとなった。
【先行技術文献】
【特許文献】
【０００５】
【特許文献１】実開平７−１５０２９号公報
【考案の概要】
【考案が解決しようとする課題】
【０００６】
そこで、本願考案者は、和風装束にも洋風装束にもマッチする（適合する）一面が畳表を使用する敷物で、他面が絵柄模様等が施された面を有する、リバーシブル納棺用敷物を提供することを目的とする。
【課題を解決するための手段】
【０００７】
上記の課題を解決するために、本願請求項１に係る考案は、リバーシブル納棺用敷物において、上端部材及び下端部材の中心材の表側に上端部材及び下端部材を連結接合する両端に畳縁が縫合されたい草畳表面と、上端部材及び下端部材の各中心材の裏側に接合され、洋風装束に適合する図柄模様が描かれた裏面材と、を有し、上端部材及び下端部材が表側のい草畳表面の中央で表側に二つ折りされることを特徴とする。
また、本願請求項２に係る考案は、請求項１に記載のリバーシブル納棺用敷物において、洋風装束に適合する図柄模様は、納棺される男性遺体がタキシードやモーニング等の洋風装束の場合には、宇宙図柄（模様）が、納棺される女性遺体がワンピース等の洋風装束の場合には、バラやサクラの花柄図柄（模様）であることを特徴とする。
そして、本願請求項３に係る考案は、請求項１に記載のリバーシブル納棺用敷物において、畳縁が白地の綾に雲形や菊花などの紋を黒く織り出した織物からなる高麗縁又は紙材にこれらの紋をプリントしたものであることを特徴とする。
さらに、本願請求項４に係る考案は、請求項１に記載のリバーシブル納棺用敷物において、い草畳表面又は裏面材が、上端部材及び下端部材の各中心材の端部を覆うように延設されたことを特徴とする。
また、本願請求項５に係る考案は、請求項１に記載のリバーシブル納棺用敷物において、い草畳表面又は畳縁、裏面材の図柄模様が、紙又は布、ポリエステル材にプリントしたものであることを特徴とする。
【考案の効果】
【０００８】
納棺において、ご遺体の和風装束にも洋風装束にも適宜適応することができる。
【図面の簡単な説明】
【０００９】
【図１】図１は、本考案の実施例１に係るリバーシブル納棺用敷物の概略図である。
【図２】図２は、本実施例１に係るリバーシブル納棺用敷物の幅方向断面図である。
【図３】図３は、折り畳部の概略を示す図である。
【図４】図４は、プリントのない無模様の白地の裏面材端部４ｂが幅方向に延びて糊づけされる変形実施例に係るリバーシブル納棺用敷物１の概略を示す図である。
【図５】図５は、い草畳表面部２を上にして本実施例１に係るリバーシブル納棺用敷物１を配置した和風装束納棺の例を示した概略図である。
【図６】図６は、裏面材部４を上にして本実施例１に係るリバーシブル納棺用敷物１を配置した洋風装束の例を示した概略図である。
【図７】図７は、実開平７−１５０２９号公報に図１として示される開示考案に係る敷物の一部切欠斜視図である。
【考案を実施するための形態】
【００１０】
本考案に係るリバーシブル納棺用敷物を実施するための一実施例を図面に基づき詳細に説明する。
【実施例１】
【００１１】
図１は、本考案に係るリバーシブル納棺用敷物を実施するための実施例１に係るリバーシブル納棺用敷物の概略図であり、図２は、本実施例１に係るリバーシブル納棺用敷物の幅方向断面図であり、同図３は、折り畳部の概略を示す部分図である。
【００１２】
図１ー図３において、符号１は、本実施例１に係るリバーシブル納棺用敷物、２は、天然い草を使用するい草畳表面部、３は、畳縁、３ａは、畳縁表面部、３ｂは、畳縁側端部、４は、紙又は布等からなる裏面部、４ａは、裏面、５、５は、二つ折り端面部、６は、中心材(図１では図示外）、７ａ、７ｂは、二つ折りの一方の上端部材及び他方の下端部材である。なお、説明の便宜上、以下、い草畳表面部２側を「表側」と、裏面材部４側を「裏側」として説明する。
【００１３】
本実施例１に係るリバーシブル納棺用敷物１は、納棺において棺底に使用される敷物であり、このため、標準サイズの棺の内のり寸法に合わせた、例えば、長さ１７４０ｍｍ、幅４５０ｍｍ、厚さ１５ｍｍサイズの敷物であり、中心材６としては１０ｍｍの段ボールが使用される。
そして、図１、図３から明らかなように、長さ方向真ん中で表側を内側に二つ折りを可能とし、長さ８７０ｍｍ、幅４５０ｍｍの二つの上端部材７ａ及び下端部材７ｂを長さ方向に並べ、その間を畳縁３の上下両端が縫製されたい草畳表面部２で糊づけ等されたものである。
【００１４】
なお、本実施例１に係るリバーシブル納棺用敷物１における畳縁３は、幅４２ｍｍの白地の綾に雲形や菊花などの紋を黒く織り出した織物からなる高麗縁又は紙材にこれらの紋をプリントしたものが使用され、い草畳表面部２と畳縁３は畳縁３の両端をミシン縫いで縫合される。そして、畳縁３については、紋が織り出された面を畳縁の表面部４ａと、図１に示すような、畳縁３の紋織り出しの外側が幅方向に延びて上端部材７ａ、下端部材７ｂの幅方向端部まで延長された畳縁側端部４ｂを構成される(図１では網目に描かれている。）。
【００１５】
また、本実施例１に係るリバーシブル納棺用敷物１は、図１から明らかなように、納棺される前には二つ折り状態で保管・持ち運びされるものであり、折り畳んだ状態では、長さ８７０ｍｍ、幅４５０ｍｍ、重なり厚さ３０ｍｍのサイズ形状となる。そして、図１に示すように、畳縁３がミシン縫いされたい草畳表面部２がそのまま延長して幅方向の端面として、中心材６(図１には図示外）に糊づけされる。
【００１６】
図１に示す本実施例１に係るリバーシブル納棺用敷物１においては、二つ折り端面部５、５を無地の裏面材部４を延長して構成したが、これは、畳縁??３が縫製されたい草畳表面部２がそのまま長さ方向裏面部４まで端部を覆って構成するようにしても良く、長さ方向反対側の端面についても同様にしても良い。
【００１７】
なお、変形実施例例として、図１−図３に示すような、畳縁３が縫製されたい草畳表面部２がそのまま幅方向に延びて側端部３ｂを構成するのではなく、裏面材部４が幅方向に延びて、プリントのない無模様の白地の裏面材端部が幅方向の側端面部を包むように糊づけされても良い。
図４は、プリントのない無模様の白地の裏面材端部４ｂが幅方向に延びて糊づけされる変形実施例に係るリバーシブル納棺用敷物１の概略を示す図であり、４ｂは、裏面材側端面部である。
図４に示すように、このとき、本実施例１に係るリバーシブル納棺用敷物１においては、幅方向及び折り畳部を含む長さ方向の各端面をい草畳表面部２の近くまで覆って糊づけされる。すなわち、図４に示すように、裏面材部４が幅方向に延びて、プリントのない無模様の白地の裏面材端部４ｂが中心材６(図４では図示外）に糊づけされ、また、裏面材部４がい草畳表面部２の近くまで延びて上端部材７ａ及び下端部材７ｂの長さ方向及び幅方向の各二つ折り端面部５、５を覆って糊づけ接合される。
【００１８】
これを図４をさらに詳しく説明すると、上端部材７ａの長さ方向の上端面及び下端の二つ折り面５は、裏面材部４によってい草畳表面部２の近くまで覆われ、上端部材７ａの幅方向の側端面部もい草畳表部２の近くまで裏面材部４で覆われて裏面材側端面部４ｂとなる。同様に、下端部材７ｂについても、上端面及び下端の二つ折り面５及び幅方向の各側端面部は、それぞれ裏面材部４によってい草畳表面部２の近くまで覆われて、他方の裏面材側端面部４ｂとなる。
この裏面材部４には、洋風装束に適合する図柄が描かれ、和風装束の納棺の場合には、い草畳表面部２を上に棺底に配置され、洋風装束の納棺においては、裏面材部４を上側にして棺底に配置される。本実施例１に係るリバーシブル納棺用敷物１を「リバーシブル」と命名する所以である。
【００１９】
すなわち、図４に示す本実施例１に係るリバーシブル納棺用敷物１は、二つ折りされる上端部材７ａ及び下端部材７ｂの中心材６(図４では図示外）の表側に上端部材７ａ及び下端部材７ｂを連結接合する両端に畳縁３が縫合されたい草畳表面部２と、上端部材７ａ及び下端部材７ｂの各中心材６の裏側に接合され、上端部材７ａ及び下端部材７ｂの各中心材６の二つ折り端面部５、５をい草畳表面部２の近傍まで覆い、洋風装束に適合する図柄模様が描かれた裏面材部４とからなり、上端部材７ａ及び下端部材７ｂが表側のい草畳表面部２の中央で表側に二つ折りされる構造を有するものであり、納棺に際しては、二つ折りを広げてその表側又はその裏側を上にして棺内底部に配置するようにしたものである。
【００２０】
図５は、い草畳表面部２を上にして本実施例１に係るリバーシブル納棺用敷物１を配置した和風装束納棺の例を示した概略図であり、図７は、裏面材部４を上にして本実施例１に係るリバーシブル納棺用敷物１を配置した洋風装束の例を示した概略図である。図５、図６において、符号１は、本実施例１に係るリバーシブル納棺用敷物、２は、い草畳面、４は、裏面材、８は、棺、９は、白布、１０は、棺蓋である。
【００２１】
また、絵柄については、本実施例１に係るリバーシブル納棺用敷物１の裏面材部４に描かれる洋風装束に適合する図柄としては、納棺される男性遺体がタキシードやモーニング等の洋風装束の場合には、宇宙図柄（模様）が、納棺される女性遺体がワンピース等の洋風装束の場合には、バラやサクラの花柄図柄（模様）が描かれる。
【００２２】
なお、昨今のように図柄が容易にプリントアウトされる環境にあっては、予め作りおいた見本などから施主の好みに合った図柄を選択し、好みの図柄をプリントの上、好みの絵柄の裏面材部４を中心材６に糊づけするようにしても良い。
上記のような構成としたので、本実施例１に係るリバーシブル納棺用敷物１においては、和風装束および洋風装束のいずれにも適合する納棺用敷物とすることができる。また、二つ折りとしたので、収納等に便宜である。
【産業上の利用可能性】
【００２３】
本考案は、納棺用敷物について、和風、洋風いずれの様式にも対応できるリバーシブル納棺用敷物に利用される。
【符号の説明】
【００２４】
１ 本考案の実施例１に係るリバーシブル納棺用敷物
２ い草畳表面
３ 畳縁
３ａ 畳縁表面部
３ｂ 畳縁側端部
４ 裏面材部
４ａ 裏面材面部
４ｂ 裏面材側端面部
５、５ 二つ折り端面部
６ 中心材
７ａ 上端部材
７ｂ 下端部材
１０１ 芯材
１０２ 包被部材
１０３ 遺体安置部
１０５ 対向配置部
１０６ 縁布
１０７ 布帛
１０８ 当接紙
１０９ 紙製接着テープ
【図１】
0003229322.tif 000003
【図２】
0003229322.tif 000004
【図３】
0003229322.tif 000005
【図４】
0003229322.tif 000006
【図５】
0003229322.tif 000007
【図６】
0003229322.tif 000008
【図７】
0003229322.tif 000009